(57)【要約】【課題】  利用者及び管理者の双方の端末に精米設備の運転情報を適切に表示し、精米設備の使用利便性及び管理利便性の双方を向上させることを課題とする。【解決手段】  精米設備（１）にインターネットと無線で接続する通信機器（２０）を設け、インターネットを介して精米設備（１）を示すマーク（Ｍ）及び精米設備（１）の運転情報を付されるマップ（Ｐ）を端末（２１，２２）の画面に表示可能とする精米設備の情報表示システムにおいて、前記運転情報には、精米設備（１）の現在の運転情報と、設定期間における運転履歴を含み、現在の運転情報と前記運転履歴の一方又は双方を前記マップ（Ｐ）に表示可能とし、精米設備（１）の利用者の端末（２２）には現在の運転情報を表示可能とし、精米設備の管理者（２１）の端末には、現在の運転情報と、前記運転履歴の双方を表示可能とする。【選択図】  図６
2019147130.tif 000002
【特許請求の範囲】
【請求項１】
精米設備にインターネットと無線で接続する通信機器を設け、インターネットを介して精米設備を示すマーク及び精米設備の運転情報を付されるマップを端末画面に表示可能とする精米設備の情報表示システムにおいて、
前記運転情報には、精米設備の現在の運転情報と、設定期間における運転履歴を含み、現在の運転情報と前記運転履歴の一方又は双方を前記マップに表示可能とし、
精米設備の利用者の端末には現在の運転情報を表示可能とし、精米設備の管理者の端末には、現在の運転情報と、前記運転履歴の双方を表示可能とすることを特徴とする精米設備の運転情報表示システム。
【請求項２】
現在の運転情報には、運転中、利用可能中、故障停止中の情報を含むことを特徴とする請求項１記載の精米設備の運転情報表示システム。
【請求項３】
運転履歴には、設定期間における投入された料金の累積金額を含むことを特徴とする請求項１記載の精米設備の運転情報表示システム。
【請求項４】
設定期間とは、管理者用のメンテナンス用操作具を操作した時点から発生することを特徴とする請求項１から請求項３のいずれかに記載の精米設備の運転情報表示システム。
【請求項５】
メンテナンス用操作具を操作すると、メンテナンス中である情報をマップに表示し、利用者及び管理者の端末の双方、又は利用者の端末に表示することを特徴とする請求項４記載の精米設備の運転情報表示システム。
【請求項６】
精米設備には、精米機器の騒音を検出する騒音センサ、又は精米機器の振動を検出する振動センサを設け、振動センサ又は騒音センサが設定以上の値を検出すると、確認情報をマップに表示し、管理者側の端末に表示することを特徴とする請求項１から請求項５のいずれかに記載の精米設備の運転情報システム。
【発明の詳細な説明】
【技術分野】
【０００１】
本発明は、料金を投入して精米する無人の精米設備に関する。
【背景技術】
【０００２】
特許文献１には、利用者の端末に精米設備の設置場所及び運転状況を表示する技術が記載されている。
【０００３】
特許文献２には、複数の精米設備それぞれの稼働情報が管理者の端末に表示される技術が記載されている。
【先行技術文献】
【特許文献】
【０００４】
【特許文献１】特開２０１７−２０５７６２公報
【特許文献２】特開２００２−３４２８３２号公報
【発明の概要】
【発明が解決しようとする課題】
【０００５】
本発明は、近年、発達した携帯端末のアプリケーション技術を活用し、利用者及び管理者の双方の端末に精米設備の運転情報を適切に表示し、精米設備の使用利便性及び管理利便性の双方を向上させることを課題とする。
【課題を解決するための手段】
【０００６】
かかる課題を解決するために、請求項１記載の発明は、
精米設備にインターネットと無線で接続する通信機器を設け、インターネットを介して精米設備を示すマーク及び精米設備の運転情報を付されるマップを端末画面に表示可能とする精米設備の情報表示システムにおいて、
前記運転情報には、精米設備の現在の運転情報と、設定期間における運転履歴を含み、現在の運転情報と前記運転履歴の一方又は双方を前記マップに表示可能とし、
精米設備の利用者の端末には現在の運転情報を表示可能とし、精米設備の管理者の端末には、現在の運転情報と、前記運転履歴の双方を表示可能とすることを特徴とする精米設備の運転情報表示システムとする。
【０００７】
これにより、利用者は精米設備の現在の運転情報を閲覧して、適切な精米設備を選択して精米運転ができる。また、管理者は現在の精米設備の運転情報以外に精米設備の運転履歴を閲覧できるので管理しやすくなる。
【０００８】
請求項２記載の発明は、
現在の運転情報には、運転中、利用可能中、故障停止中の情報を含むことを特徴とする請求項１記載の精米設備の運転情報表示システムとする。
【０００９】
これにより、利用者は、適切な精米設備を選択して精米運転がし易い。
【００１０】
請求項３記載の発明は、
運転履歴には、設定期間における投入された料金の累積金額を含むことを特徴とする請求項１記載の精米設備の運転情報表示システムとする。
【００１１】
これにより、管理者は精米設備の利用状況を把握しやすい。
【００１２】
請求項４記載の発明は、
設定期間とは、管理者用のメンテナンス用操作具を操作した時点から発生することを特徴とする請求項１から請求項３のいずれかに記載の精米設備の運転情報表示システムとする。
【００１３】
これにより、料金回収等でメンテナンス操作具を操作すると、運転履歴がリセットされるので、次回のメンテナンスを適切なタイミングで行うことができる。
【００１４】
請求項５記載の発明は、
メンテナンス用操作具を操作すると、メンテナンス中である情報をマップに表示し、利用者及び管理者の端末の双方、又は利用者の端末に表示することを特徴とする請求項４記載の精米設備の運転情報表示システムとする。
【００１５】
これにより、利用者は、メンテナンス中であることを把握できるため、別の精米設備で精米運転を行うことができる。
【００１６】
請求項６記載の発明は、
精米設備には、精米機器の騒音を検出する騒音センサ、又は精米機器の振動を検出する振動センサを設け、振動センサ又は騒音センサが設定以上の値を検出すると、確認情報をマップに表示し、管理者側の端末に表示することを特徴とする請求項１から請求項５のいずれかに記載の精米設備の運転情報システムとする。
【００１７】
これにより、管理者は、故障による運転停止を未然に防ぐことを防止できる。
【発明の効果】
【００１８】
本発明により、利用者及び管理者の双方が共通のソフトを利用して精米設備の利用や管理を適切に行うことができる。
【図面の簡単な説明】
【００１９】
【図１】正面から見た精米設備の客室を示す図
【図２】平面から見た精米設備の内部を示す図
【図３】精米設備の作業工程図
【図４】精米設備の作業システム図
【図５】利用者の携帯端末の画面を示す図
【図６】管理者の携帯端末の画面を示す図
【図７】管理者の携帯端末の画面を示す図
【図８】精米運転履歴を示すグラフ
【発明を実施するための形態】
【００２０】
本発明の実施の形態の料金式精米設備について以下説明する。
【００２１】
図２に示すように建屋１を仕切壁２で前後方向に機械室３と客室４に仕切る。本実施例では客室４側を前側と呼び機械室３側を後側と呼ぶ。
【００２２】
利用者が持参した玄米を収容する投入ホッパ５と、投入ホッパ５内の玄米を繰り出すロータリバルブ６と、玄米を揚穀する昇降機７と、玄米から石を抜く石抜機８と、玄米を精米する精米機９と、精白米を収容する白米タンク１０を設ける。
【００２３】
投入ホッパ５と白米タンク１０は客室４側に設け、昇降機７・石抜機８・精米機９等の精米機器は機械室３側に設ける。また、精米機９の精米運転で発生した糠は空気搬送されて糠袋３０を備えている投入ホッパ５は客室４の左右一側に設け、白米タンク１０は客室４の左右他側に設ける。投入ホッパ５と白米タンク１０の間には精白度を設定する精白度選択スイッチ１１と、料金を投入する料金投入口１２、及び釣銭返却口１３を設ける。
【００２４】
利用者は、投入ホッパ５に持参した玄米を投入して、料金投入口に料金を投入し、精白度選択スイッチ１１を操作すると運転が開始され、精米機で精米処理された精白米が白米タンク１０に供給される。
【００２５】
投入ホッパ５の下部には玄米の有無を検出する玄米有無センサ１４を設ける。
【００２６】
投入ホッパ５の前側には、投入ホッパ５の投入口を閉鎖・開放する開閉扉１５を設ける。
【００２７】
図４に示すように、精米設備の制御部１６は、入力側に投入料金を検出する料金検出センサ２３や精白度選択スイッチ１１等の情報が入力され、精米機器に出力する。
【００２８】
料金を収容する金庫（図示せず）や、精米機器を制御する制御部１６や、精米設備の管理者が運転条件等を設定するメンテナンス用操作具を内蔵する管理者用開閉扉１７を仕切壁２に設ける。
【００２９】
前述のメンテナンス操作具の一例として、精米機器を自動制御で運転するか、管理者が手動スイッチ（図示せず）で運転するかを切り換える自動・手動切り替えスイッチ１８や、金庫内の料金回収や糠の回収を行ったことを入力するメンテナンス用スイッチ１９が挙げられる。すなわち、管理者がメンテナンス時に使用する操作具であればよい。メンテナンス用操作具を操作したことを検出することにより、後述の累積金額や換算累積糠量の情報がリセットされる。
【００３０】
建屋１にはインターネットと接続可能なルータ等の通信機器２０を設け、制御部１６の運転情報がインターネットを介して管理者用クラウドＣに送信可能としている。また、管理者用の携帯端末２１や、利用者用の携帯端末２２はインターネット上のアプリやブラウザ等のソフト３１を介して後述のマップＰを閲覧できる構成である。
【００３１】
次に図５〜図７に基づいて、精米設備の設置状況を示すマップを利用者の携帯端末２２や管理者の携帯端末２１で閲覧する方法について説明する。
【００３２】
精米設備の設置を示すマークＭ（Ｍ１〜Ｍ５）を表示したある地域のマップＰを、利用者用の携帯端末２２や管理者用の携帯端末２１からインターネットを介してソフト３１にアクセスして表示可能としている。マークＭは精米設備の所在地に付されている。
【００３３】
図５は精米設備の利用者が閲覧できる携帯端末２２の画面を示している。精米設備のマーク毎に現在の運転情報を示す吹き出しＨが表示されている。例えばマークＭ１には現在運転していない（利用可能）であることを示しており、マークＭ２には故障中で使用できないことを示しており、マークＭ３には、現在運転中で残りの運転時間を示しており、マークＭ４には、管理者がメンテナンス中であることを示している。マークＭ５には営業時間外であることを示している。
【００３４】
利用者は、当該マップＰを閲覧することで、現在利用可能な精米設備を把握して、利用可能な精米設備で精米運転を行うことができる。
【００３５】
図６と図７は精米設備の管理者が閲覧できる携帯端末２１の画面を示している。
【００３６】
図６は現在の運転状況を示す携帯端末２１の画面で、利用者が閲覧できる携帯端末２２の画面と略共通している。但し、管理者のみが閲覧できる情報が追加されている。例えば、マークＭ２には、「故障中」の表示に例えば「精米機異常」と故障の原因の情報が表示される。また、マークＭ１には、「振動値異常、確認要」の情報が表示される。この情報は、例えば精米機９に振動センサ３５を取り付け、運転時の振動の値を検出する。この振動の値が設定値以上になると、精米機９内部の一部に不具合が生じていることを推定する。現在は利用者による運転は可能であるが、近い将来故障につながる可能性のある情報を表示し、管理者に確認して予防を促している。なお、前述の故障した場合や確認要の状況が発生した場合には、管理者用の携帯端末にメールを送信してもよい。また、振動センサ３５以外に騒音センサでもよい。
【００３７】
図７は、精米設備の運転履歴情報を示す管理者用の携帯端末２１の画面である。運転履歴とは、例えば、利用者が投入した料金の累積金額が表示される。また、累積金額から精米運転によって換算される糠量を表示してもよい。換算される糠量とは、例えば３００円で３０ｋｇを精米運転すると約３Ｋｇの糠が発生する。そのため、例えば累積金額が９千円になると発生した糠量は９０ｋｇと換算される。管理者は累積金額が設定金額になると、当該精米設備の金庫内の料金を回収する。又は、累積金額から糠袋３０内の糠量が満量近くなったと判断すると当該糠袋３０を回収する。
【００３８】
図７の吹き出しにはグラフｇが表示されている。このグラフｇは、図８に示すように日毎の投入料金額と累積金額が表示されている。前述のメンテナンス操作具を操作するとリセットされて累積金額がその日から計算される。これにより、管理者は精米設備の売り上げ状況を把握することができ管理がしやすい。また、金庫内の料金の回収や糠袋３０の回収のタイミングを管理しやすい。
【００３９】
本実施の形態の吹き出しＨは、マップＰにアクセスしたときにマークＭと同時に表示されてもよいし、マークＭを操作すると表示するようにしてもよい。
【００４０】
管理者は図６と図７の画面を選択スイッチ（図示せず）で切り替えるように構成することで、マップ上に情報が煩雑にならない。また、現在の状況と、過去の履歴を分けて閲覧することで、視認しやすい。
【００４１】
本実施の形態により、管理者は広範囲の複数の精米設備を効率よく管理することができる。
【００４２】
本実施の形態のマップＰは利用者と管理者の双方が共通のソフト３１を使用できるので、ソフト３１を安価に作成することができる。
【符号の説明】
【００４３】
１  精米設備
９  精米機
１８  自動・手動切り替えスイッチ（メンテナンス用操作具）
１９  メンテナンス用スイッチ（メンテナンス用操作具）
２０  通信機器
２１  管理者用（携帯）端末
２２  利用者用（携帯）端末
３５  振動センサ
Ｐ  マップ
Ｍ  マーク
【図１】
2019147130.tif 000003
【図２】
2019147130.tif 000004
【図３】
2019147130.tif 000005
【図４】
2019147130.tif 000006
【図５】
2019147130.tif 000007
【図６】
2019147130.tif 000008
【図７】
2019147130.tif 000009
【図８】
2019147130.tif 000010